(57)【要約】【課題】ベッドの背上げ又は背下げ後に患者が感じる痛みをなくすると同時に介護者による背抜き作業をなして介護者の負担をなくするものである。【解決手段】エアセル２が４個以上を１つのグループとして複数個のグループ４；５；６；７に分けられており、全部のエアセル２が膨張する全体膨張モード、全部のエアセル２が収縮する全体収縮モード、各グループ４乃至７における少なくとも１つのエアセル２が膨張する部分膨張モード、各グループ４乃至７における少なくとも１つのエアセル２が収縮する部分収縮モード、各グループ４乃至７における４個以上のエアセル２が１つずつ圧縮空気の給気で膨張する部分膨張モードと、各グループ４乃至７における１つ置きに並んだエアセル２が圧縮空気の排気で収縮した後に圧縮空気の給気で膨張する部分収縮膨張モードとなる。【選択図】図１
2014046043.tif 000002
【特許請求の範囲】
【請求項１】
中空で膨張及び収縮可能な複数個のエアセルがエアマットレスの短手方向に横長であると共にエアマットレスの長手方向に並列に配置されていると共に、複数個のエアセルが当該複数個よりも少ない複数個のエアセルを１つのグループとして複数個のグループに分けられたエアマットレスであって、各グループにおける複数個のエアセルの全部が圧縮空気の給気で膨張する全体膨張モードと、各グループにおける複数個のエアセルの全部が圧縮空気の排気で収縮する全体収縮モードとなることを特徴とするエアマットレス。
【請求項２】
中空で膨張及び収縮可能な複数個のエアセルがエアマットレスの短手方向に横長であると共にエアマットレスの長手方向に並列に配置されていると共に、複数個のエアセルが当該複数個よりも少ない複数個のエアセルを１つのグループとして複数個のグループに分けられたエアマットレスであって、各グループにおける複数個のエアセルのうちの少なくとも１つが圧縮空気の給気で膨張する部分膨張モードと、各グループにおける複数個のエアセルのうちの少なくとも１つが圧縮空気の排気で収縮する部分収縮モードとなることを特徴とするエアマットレス。
【請求項３】
中空で膨張及び収縮可能な複数個のエアセルがエアマットレスの短手方向に横長であると共にエアマットレスの長手方向に並列に配置されていると共に、複数個のエアセルが当該複数個よりも少ない複数個のエアセルを１つのグループとして複数個のグループに分けられたエアマットレスであって、１つのグループが４個以上のエアセルで構成され、各グループにおける４個以上のエアセルが圧縮空気の給気で膨張する全体膨張モードと、各グループにおける４個以上のエアセルが圧縮空気の排気で収縮する全体収縮モードと、各グループにおける４個以上のエアセルのうちの少なくとも１つが圧縮空気の排気で収縮する部分収縮モードと、各グループにおける４個以上のエアセルのうちの少なくとも１つが圧縮空気の給気で膨張する部分膨張モードと、各グループにおける少なくとも１つ置きに並んだエアセルが圧縮空気の排気で収縮した後に圧縮空気の給気で膨張する部分収縮膨張モードとなることを特徴とするエアマットレス。
【請求項４】
前記各モードが人の操作で開始されることを特徴とする請求項1乃至請求項３のいずれか1つに記載特徴とするエアマットレス。
【請求項５】
前記各モードが背上げ又は背下げモードの開始又はリハビリモードの解除に連動することを特徴とする請求項1乃至請求項３のいずれか1つに記載特徴とするエアマットレス。
【請求項６】
エアセルにおけるエアマットレスの長手方向に沿う断面が略四角形状であることを請求項1乃至請求項３のいずれか1つに記載特徴とするエアマットレス。
【発明の詳細な説明】
【技術分野】
【０００１】
本発明は、自力で体位を変えることのできない患者に対する介護機能を有するエアマットレスに関する。
【背景技術】
【０００２】
図１９は、特許文献１で開示されたエアマットレス５１を示す。エアマットレス５１は、エアマットレス５１の短手方向に横長であると共に長手方向に並列に配置された複数個のエアセル５２Ａ；５２Ｂ；５２Ｃ；５２Ｄが４個ずつを１つのグループとして複数個のグループに分けられている。しかしながら、各グループのエアセル５２Ａ乃至５２Ｄは、各グループ単位毎の所定位置、例えば各グループにおける１番目のエアセル５２Ａが各々同調して収縮した場合には、各グループにおける残りの３本のエアセル５２Ｂ乃至５２Ｄが同調して膨張するというように、グループにおける１本のエアセルを収縮し、残りの３本のエアセルを膨張するものであり、床ずれ防止には効果は認められるが、ベッドの背上げおよび背下げを行った場合、患者は背中が突っ張られる痛みを感じるため、介護者による背抜きが必要となる。この背抜き作業は、患者を背上げまたは背下げをした後、患者を抱きかかえるようにして背中をベッドから浮かせてずれをなくする行為である。この作業が介護者には負担となり、特に老人が老人を介護する老々介護の場合、できない場合があり、床ずれの発生リスクが多くなっているのが現状である。
【先行技術文献】
【特許文献】
【０００３】
【特許文献１】実開平５−１１９３１号公報
【発明の概要】
【発明が解決しようとする課題】
【０００４】
本発明は、上記背景技術に鑑みてなされたものであり、ベッドの背上げまたは背下げ時に患者が感じる痛みをなくすると同時に介護者による背抜き作業をなくするものである。すなわち、背抜き作業をなくすることで、床ずれの発生リスクの低減及び介護者の負担をなくするものである。
【課題を解決するための手段】
【０００５】
本発明は、中空で膨張及び収縮可能な複数個のエアセルがエアマットレスの短手方向に横長であると共にエアマットレスの長手方向に並列に配置されていると共に、複数個のエアセルが当該複数個よりも少ない複数個のエアセルを１つのグループとして複数個のグループに分けられたエアマットレスであって、各グループにおける複数個のエアセルの全部が圧縮空気の給気で膨張する全体膨張モードと、各グループにおける複数個のエアセルの全部が圧縮空気の排気で収縮する全体収縮モードとなることを特徴とするか、又は、各グループにおける複数個のエアセルのうちの少なくとも１つが圧縮空気の給気で膨張する部分膨張モードと、各グループにおける複数個のエアセルのうちの少なくとも１つが圧縮空気の排気で収縮する部分収縮モードとなることを特徴とするか、又は、１つのグループが４個以上のエアセルで構成され、各グループにおける４個以上のエアセルが圧縮空気の給気で膨張する全体膨張モードと、各グループにおける４個以上のエアセルが圧縮空気の排気で収縮する全体収縮モードと、各グループにおける４個以上のエアセルのうちの少なくとも１つが圧縮空気の排気で収縮する部分収縮モードと、各グループにおける４個以上のエアセルのうちの少なくとも１つが圧縮空気の給気で膨張する部分膨張モードと、各グループにおける少なくとも１つ置きに並んだエアセルが圧縮空気の排気で収縮した後に圧縮空気の給気で膨張する部分収縮膨張モードとなることを特徴とする。
【発明の効果】
【０００６】
本発明は、ベッドの背上げ背下げ機構による背上げ又は背下げ後に、エアセルの膨張及び圧縮により、患者をエアマットレスから浮かせてずれをなくし、患者の背部に起こる突っ張り感による痛みをなくし、介護者の背抜き作業の負担をなくすことができる。又、エアマットレスの使用時のエアマットレスの内圧変更時の違和感の低下にも効果がある。これは、端座位をする場合やリハビリなどで一次的にエアマットレスを硬くした後、元の内圧に戻したときに生じる、患者の突っ張り感の解消にも有効である。段落０００５における各モードが人の操作で開始されれば、介護者による介護が行き届きやすい。段落０００５における各モード背上げ又は背下げモードの開始又はリハビリモードの解除に連動すれば、介護者による操作部の操作が減り、介護者の負担が軽くなる。エアセルにおけるエアマットレスの長手方向に沿う断面が略四角形状であれば、エアセルにおけるエアマットレスの長手方向に沿う断面が円形状又は楕円形状の場合よりも、患者を支えやすい。
【図面の簡単な説明】
【０００７】
【図１】実施の形態１に係るエアマットレスを示す模式図。
【図２】実施の形態１に係るエアマットレスの背上げ状態を示す側面図。
【図３】実施の形態１に係るエアマットレスの背下げ状態を示す側面図。
【図４】実施の形態１に係るエアマットレスの工程を示す図表。
【図５】実施の形態１に係るエアマットレスへの患者の配置関係を示す側面図。
【図６】実施の形態１に係るエアマットレスの膨張及び収縮の状態を示す側面図。
【図７】実施の形態１に係るエアマットレスの膨張及び収縮の状態を示す側面図。
【図８】実施の形態１に係るエアマットレスの膨張及び収縮の状態を示す側面図。
【図９】実施の形態２に係るエアマットレスの工程を示す図表。
【図１０】実施の形態２に係るエアマットレスの膨張及び収縮の状態を示す側面図。
【図１１】実施の形態２に係るエアマットレスの膨張及び収縮の状態を示す側面図。
【図１２】実施の形態２に係るエアマットレスの膨張及び収縮の状態を示す側面図。
【図１３】実施の形態２に係るエアマットレスの膨張及び収縮の状態を示す側面図。
【図１４】実施の形態３に係るエアマットレスの工程を示す図表。
【図１５】実施の形態３に係るエアマットレスの膨張及び収縮の状態を示す側面図。
【図１６】実施の形態３に係るエアマットレスの膨張及び収縮の状態を示す側面図。
【図１７】実施の形態３に係るエアマットレスの膨張及び収縮の状態を示す側面図。
【図１８】実施の形態３に係るエアマットレスの膨張及び収縮の状態を示す側面図。
【図１９】従来のエアマットレスを示す斜視図。
【発明を実施するための形態】
【０００８】
図１を参照し、実施の形態１に係るエアマットレス１について説明する。エアマットレス１は、中空で膨張可能な複数個のエアセル２がエアマットレス１の短手方向に横長であると共にエアマットレス１の長手方向に並列に配置された体圧分散性能の有る造形である。各エアセル２がエアマットレス１の短手方向に長いかまぼこ形の造形を構成し、このかまぼこ形になった各エアセル２がエアマットレス１の長手方向に並列に配置されて互いに通気可能に連結されてエアマットレス１を構成する。よって、エアセル２におけるエアマットレス１の長手方向に沿う断面が略四角形状になっているので、エアセル２におけるエアマットレス１の長手方向に沿う断面が円形状又は楕円形状の場合よりも、患者を支えやすい。エアセル２におけるエアマットレス１の長手方向に沿う断面とは、エアセル２をエアマットレス１の長手方向に沿って切断した場合の断面である。図１では、エアセル２が４個ずつを１つのグループとして複数個のグループに分けられた場合で、４個のグループ４；５；６；７を例示する。各エアセル２を表す丸枠の中に表示された「１乃至４」は、各エアセル２が給気排気機構１５の流路１８；１９；２０；２１に別々に接続されたことを表す数値である。
【０００９】
給気排気機構１５は、エアーポンプ１６と流路切換機構１７と４個の流路１８乃至２１と操作部２２と制御ボックス２３とを備える。流路切換機構１７は４個の出口を有する。つまり、流路１８は、流路切換機構１７の１つの出口と数値「１」のエアセル２とを接続する。流路１９は、流路切換機構１７の別の１つの出口と数値「２」のエアセル２とを接続する。流路２０は、流路切換機構１７の別のもう１つの出口と数値「３」のエアセル２とを接続する。流路２１は、流路切換機構１７の別の更にもう１つの出口と数値「４」のエアセル２とを接続する。１つのグループにおけるエアセル２の個数は、４個以外に、２個又は３個又は５個以上であってもよいが、２個の場合は流路が２個、３個の場合は流路が３個、５個以上の場合は流路が５個以上というように、１つのグループにおけるエアセル２の個数と流路の個数とは同数である。グループの個数は４個以外に、３個又は５個以上でもあってよい。
【００１０】
例えば、介護者が操作部２２の動作スイッチを操作すると、操作部２２が人により操作された動作スイッチの信号を制御ボックス２３に入力し、制御ボックス２３がエアーポンプ１６及び流路切換機構１７を制御する。具体的には、流路切換機構１７がエアーポンプ１６から給気された圧縮空気を流路１８に給気するように動作すると、数値「１」のエアセル２が流路１８から給気された圧縮空気により膨張する。流路切換機構１７がエアーポンプ１６から給気された圧縮空気を流路１９に給気するように動作すると、数値「２」のエアセル２が流路１９から給気された圧縮空気により膨張する。流路切換機構１７がエアーポンプ１６から給気された圧縮空気を流路２０に給気するように動作すると、数値「３」のエアセル２が流路２０から給気された圧縮空気により膨張する。流路切換機構１７がエアーポンプ１６から給気された圧縮空気を流路２１に給気するように動作すると、数値「４」のエアセル２が流路２１から給気された圧縮空気により膨張する。
【００１１】
又、流路切換機構１７が数値「１」のエアセル２の圧縮空気を排気するように動作すると、数値「１」のエアセル２が収縮する。流路切換機構１７が数値「２」のエアセル２の圧縮空気を排気するように動作すると、数値「２」のエアセル２が収縮する。流路切換機構１７が数値「３」のエアセル２の圧縮空気を排気するように動作すると、数値「３」のエアセル２が収縮する。流路切換機構１７が数値「４」のエアセル２の圧縮空気を排気するように動作すると、数値「４」のエアセル２が収縮する。つまり、数値「１」乃至「４」のエアセル２のそれぞれは、圧縮空気の給気で別々に膨張する一方、圧縮空気の排気で別々に収縮する。
【００１２】
エアマットレス１は、制御ボックス２３に設定された動作モードに基づき膨張と圧縮とを行うようになっている。制御ボックス２３に設定された動作モードとしては、全体膨張モード、全体収縮モード、部分膨張モード、部分収縮モード、部分収縮膨張モード等である。全体膨張モードは、数値「１」乃至「４」のエアセル２の全部が圧縮空気の給気で膨張するように、制御ボックス２３が流路切換機構１７を制御する。全体収縮モードは、数値「１」乃至「４」のエアセル２の全部が圧縮空気の排気で収縮するように、制御ボックス２３が流路切換機構１７を制御する。部分膨張モードは、数値「１」乃至「４」のエアセル２のうちの少なくとも１つが圧縮空気の給気で膨張するように、制御ボックス２３が流路切換機構１７を制御する。部分収縮モードは、数値「１」乃至「４」のエアセル２のうちの少なくとも１つが圧縮空気の排気で収縮するように、制御ボックス２３が流路切換機構１７を制御する。部分膨張モードと部分収縮モードとが、同じ１つのエアセル２で同時に発生しないように、制御ボックス２３が流路切換機構１７を制御する。部分収縮膨張モードは、１つ置きに並んだエアセル２が圧縮空気の排気で収縮した後に圧縮空気の給気で膨張するように、制御ボックス２３が流路切換機構１７を制御する。
【００１３】
図２及び図３を参照し、実施の形態１に係るエアマットレス１を用いたベッド２５について説明する。ベッド２５としては、複数個の脚２６で床に支持されたフレーム２７に図外の背上げ下げ機構及び膝上げ下げ機構を有する介護用ベッドを例示する。フレーム２７の上には体圧保持用のエアマットレス２８が置かれ、エアマットレス２８の上にはエアマットレス１が置かれる。エアマットレス２８は、エアセル２の直径よりも大きな直径を有する中空で膨張可能な複数個のエアセル２９がエアマットレス１の短手方向に横長であると共にエアマットレス１の長手方向に並列に配置された体圧保持性能の有る造形である。複数個のエアセル２９は、図１のエアーポンプ１６から図外のバルブ及び図外のエアーパイプを経由して給気された圧縮空気により膨張された態様になっている。
【００１４】
ベッド２５の背可動フレーム３０は、図外の背上げ下げ機構により軸３１を回転中心として背上げ又は背下げ可能に動作する。図２は背可動フレーム３０が軸３１を回転中心として背上げされた態様を示し、図３は背可動フレーム３０が軸３１を回転中心として背下げされた態様を示す。図２及び図３では、膝上げ下げ機構で上げ下げされる膝可動フレームは図示を省略してあり、エアマットレス１の上に患者３５が仰臥位に寝かされた状態を示す。図２及び図３において、エアマットレス２８に代替してウレタンマットを使用してもよい。
【００１５】
図５を参照し、実施の形態１に係るエアマットレス１への日本人の平均身長と平均体重とを有する平均的な体形の患者３５の配置について説明する。エアセル２が患者３５の足３６の側から頭３７の側に行くに従ってグループ４乃至１１の８個のグループに分かれており、グループ４乃至８では数値「１乃至４」の４個のエアセル２が患者３５の足３６の側から頭３７の側に「１」「２」「３」「４」の順序に配置され、グループ９；１０では数値「１乃至４」の４個のエアセル２が患者３５の足３６の側から頭３７の側に「１」「４」「３」「２」の順序に配置され、グループ１１では数値「１及び４」の２個のエアセル２が患者３５の足３６の側から頭３７の側に「１」「４」の順序に配置され、グループ８乃至１１が背可動フレーム３０（図２参照）により背上げされ、患者３５の膝が図外の膝可動フレーム又は図外の圧縮空気で膨張した膝用エアセルにより持ち上げられ、患者３５の尻３８がグループ７の上に配置され、患者３５の肩３９がグループ９の上に配置された場合を例示する。尚、グループの個数は８個に限定されるものではない。又、エアセル２の配置からすると、グループの種類はグループ４乃至８の１種類と、グループ９乃至１１の１種類の合計２種類を例示したが、２種類に限定されるものではない。
【００１６】
図４を参照し、実施の形態１に係るエアマットレス１の動作について説明する。エアマットレス１の動作は、全部のエアセル２が圧縮空気の給気で膨張した状態において、ベッドによる背上げ又は背下げ後に、介護者が図１の操作部２２の動作スイッチを操作することにより、エアセル２が図４に示す第１工程から第４工程からなる圧抜きモードに従って動作する。つまり、制御ボックス２３に設定された動作モードが人の操作で開始されるので、介護者による介護が行き届きやすい。第１乃至第４工程は、図１の制御ボックス２３に設定された部分収縮モードと部分膨張モードと第１部分収縮膨張モードと第２部分収縮膨張モードとにより実行される。第１部分収縮膨張モードと第２部分収縮膨張モードとは、各グループにおける１つ置きに並んだエアセル２が圧縮空気の排気で収縮した後に圧縮空気の給気で膨張する部分収縮膨張モードである。
【００１７】
図４において、第１工程は、全部のエアセル２が膨張した状態から、数値「１」乃至「４」のエアセル２が１つずつ数値「１」から「４」の順番に圧縮空気の排気で収縮する部分収縮モードであり、時間は３分に設定されている。第２工程は、全部のエアセル２が収縮した状態から、数値「１」乃至「４」のエアセル２が１つずつ数値「１」から「４」の順番に圧縮空気の給気で膨張する部分膨張モードであり、時間は４分に設定されている。第３工程は、全部のエアセル２が膨張した状態から、数値「１」「３」のエアセル２が同時に圧縮空気の排気で収縮した後、数値「１」「３」のエアセル２が１つずつ数値「１」「３」の順番に圧縮空気の給気で膨張する第１部分収縮膨張モードであり、時間は１分に設定されている。第４工程は、全部のエアセル２が膨張した状態から、数値「２」「４」のエアセル２が同時に圧縮空気の排気で収縮した後、数値「２」「４」のエアセル２が１つずつ数値「２」「４」の順番に圧縮空気の給気で膨張する第２部分収縮膨張モードであり、時間は１分に設定されている。尚、第１乃至第４工程以外に、新たなる部分収縮モード、部分膨張モード、部分収縮膨張モードの追加又は全体膨張モードによる工程、全体収縮モードによる工程を入れてもよい。
【００１８】
図６乃至図８を参照し、実施の形態１に係るエアマットレス１の動作について考察する。図６乃至図８では、圧縮空気の給気で膨張したエアセル２は網がけに表示し、圧縮空気の排気で収縮したエアセル２はしぼんだ状態になるが白抜きで膨らんだ状態に表示した。第１工程では、図６に示すように、数値「１」「２」「３」のエアセル２が１つずつ圧縮空気の排気で収縮したとき、数値「４」のエアセルが膨張して残っていることから、背上げされた患者３５の頭３７と肩３９とが首を中心として徐々に仰け反るような姿勢になり、患者３５の首周りの血行が良くなる一方、背上げされた患者３５の背中の中間部と腰と尻３８と大腿と脹脛及び足首が多点で支えられる。第２工程では、図７に示すように、数値「１」のエアセル２が圧縮空気の給気で膨張することにより、背上げされた患者３５の体全体が膨張した８個のエアセル２で一様に支えられる。
【００１９】
そして、第３工程では、図８に示すように、数値「１」「３」のエアセル２が同時に圧縮空気の排気で収縮することにより、背上げされた患者３５の体全体を数値「２」「４」の膨張したエアセル２で支えつつ少し沈み込ませる。その後、数値「１」「３」のエアセル２が１つずつ数値「１」「３」の順序で圧縮空気の給気で膨張することにより、膨張した全部のエアセル２が背上げされた患者３５の体全体を曲げないよう持ち上げる。又、第４工程では、数値「２」「４」のエアセル２が同時に圧縮空気の排気で収縮した後、数値「２」「４」のエアセル２が１つずつ数値「２」「４」の順序で圧縮空気の給気で膨張する。このように第３工程及び第４工程では、背上げされた患者３５の体全体を少し沈み込ませた後、背上げされた患者３５の体全体を曲げないよう持ち上げることにより、背上げされた患者３５の体全体が上下して血行が良くなる。これより、ベッドの背上げ背下げ機構による背上げ又は背下げに並行するか又は背上げ又は背下げ後に、患者３５をエアマットレス１から浮かせてずれをなくし、患者３５の痛みや床ずれを防止できると同時に介護者の負担もなくなる。
【００２０】
図９乃至図１３を参照し、実施の形態２に係るエアマットレス１について説明する。先ず、図１０を参照し、実施の形態２に係るエアマットレス１への日本人の平均的な体形の患者３５の配置について説明する。エアセル２が６個ずつを１つのグループとして複数個のグループに分けられた場合で、患者３５の足３６の側から頭３７の側に行くに従ってグループ４１乃至４５の５個のグループに分かれており、グループ４１乃至４５では数値「１」乃至「６」の６個のエアセル２が患者３５の足３６の側から頭３７の側に「１」乃至「６」の順序に配置された場合を例示する。
【００２１】
尚、図示は省略するが、図１の給気排気機構１５に相当する給気排気機構を備え、各グループにおける数値「１」乃至「４」のエアセル２は図１の流路１８乃至流路２１に相当する流路で図１の流路切換機構１７に相当する流路切換機構に別々に接続され、各グループにおける数値「５」「６」のエアセル２は２個の流路で図１の流路切換機構１７に相当する流路切換機構に別々に接続される。この実施の形態２に係る流路切換機構は６個の流路を別々に接続する６個の出口を備える。
【００２２】
図９を参照し、実施の形態２に係るエアマットレス１の動作について説明する。エアマットレス１の動作は、全部のエアセル２が圧縮空気の給気で膨張した状態において、ベッドによる背上げ又は背下げ後に、介護者が図１の操作部２２の動作スイッチを操作することにより、エアセル２が図９に示す第１乃至第４工程からなる圧抜きモードに従って動作する。つまり、制御ボックス２３に設定された動作モードが人の操作で開始されるので、介護者による介護が行き届きやすい。第１乃至第４工程は、図１の制御ボックス２３に設定された部分収縮モードと部分膨張モードと第１部分収縮膨張モードと第２部分収縮膨張モードとにより実行される。第１部分収縮膨張モードと第２部分収縮膨張モードとは、各グループにおける１つ置きに並んだエアセル２が圧縮空気の排気で収縮した後に圧縮空気の給気で膨張する部分収縮膨張モードである。
【００２３】
図９において、第１工程は、全部のエアセル２が膨張した状態から、数値「１」乃至「６」のエアセル２が１つずつ数値「１」から「６」の順番に圧縮空気の排気で収縮する部分収縮モードであり、時間は５分に設定されている。第２工程は、全部のエアセル２が収縮した状態から、数値「１」乃至「６」のエアセル２が１つずつ数値「１」から「６」の順番に圧縮空気の給気で膨張する部分膨張モードであり、時間は６分に設定されている。第３工程は、全部のエアセル２が膨張した状態から、数値「１」「３」「５」のエアセル２が同時に圧縮空気の排気で収縮した後、数値「１」「３」「５」のエアセル２が１つずつ数値「１」から「５」の順番に圧縮空気の給気で膨張する第１部分収縮膨張モードであり、時間は１．５分に設定されている。第４工程は、全部のエアセル２が膨張した状態から、数値「２」「４」「６」のエアセル２が同時に圧縮空気の排気で収縮した後、数値「２」「４」「６」のエアセル２が１つずつ数値「２」から「６」の順番に圧縮空気の給気で膨張する第２部分収縮膨張モードであり、時間は１．５分に設定されている。尚、第１乃至第４工程以外に、新たなる部分収縮モード、部分膨張モード、部分収縮膨張モードの追加又は全体膨張モードによる工程、全体収縮モードによる工程を入れてもよい。
【００２４】
図１１乃至図１３を参照し、実施の形態２に係るエアマットレス１の動作について考察する。図１１乃至図１３では、圧縮空気の給気で膨張したエアセル２は網がけに表示し、圧縮空気の排気で収縮したエアセル２はしぼんだ状態になるが白抜きで膨らんだ状態に表示した。第１工程では、図１１に示すように、数値「１」乃至「４」のエアセル２が１つずつ圧縮空気の排気で収縮したとき、数値「５」６」のエアセルが膨張して残っていることから、背上げされた患者３５の頭３７と肩３９と腰と尻３８と大腿と脹脛及び足首が多点で一様に支えられる。第２工程では、図１２に示すように、数値「１」のエアセル２が圧縮空気の給気で膨張することにより、背上げされた患者３５の頭３７と肩３９とが首を中心として徐々に仰け反るような姿勢になり、患者３５の首周りの血行が良くなる一方、背上げされた患者３５の腰と大腿及び脹脛が３個のエアセル２で一様に支えられる。これより、ベッドの背上げ背下げ機構による背上げ又は背下げ後に、患者３５の痛みや床ずれを防止できると同時に介護者の負担もなくなる。
【００２５】
そして、第３工程では、図１３に示すように、数値「１」「３」「５」のエアセル２が同時に圧縮空気の排気で収縮することにより、背上げされた患者３５の体全体を数値「２」「４」「６」の膨張したエアセル２で支えつつ少し沈み込ませる。その後、数値「１」「３」「５」のエアセル２が１つずつ数値「１」「３」「５」の順序で圧縮空気の給気で膨張することにより、膨張した全部のエアセル２が背上げされた患者３５の体全体を曲げないよう持ち上げる。又、第４工程では、数値「２」「４」「６」のエアセル２が同時に圧縮空気の排気で収縮した後、数値「２」「４」「６」のエアセル２が１つずつ数値「２」「４」「６」の順序で圧縮空気の給気で膨張する。このように第３工程及び第４工程では、背上げされた患者３５の体全体を少し沈み込ませた後、背上げされた患者３５の体全体を曲げないよう持ち上げることにより、背上げされた患者３５の体全体が上下して血行が良くなる。これより、ベッドの背上げ背下げ機構による背上げ又は背下げに並行するか又は背上げ又は背下げ後に、患者３５をエアマットレス１から浮かせてずれをなくし、患者３５の痛みや床ずれを防止できると同時に介護者の負担もなくなる。
【００２６】
図１４乃至図１８を参照し、実施の形態３に係るエアマットレス１について説明する。先ず、図１５を参照し、実施の形態３に係るエアマットレス１の日本人の平均的な体形の患者３５への配置について説明する。エアセル２が８個ずつを１つのグループとして複数個のグループに分けられた場合で、患者３５の足３６の側から頭３７の側に行くに従ってグループ４６乃至４９の４個のグループに分かれており、グループ４６乃至４９では数値「１」乃至「８」の８個のエアセル２が患者３５の足３６の側から頭３７の側に「１」乃至「８」の順序に配置された場合を例示する。
【００２７】
尚、図示は省略するが、図１の給気排気機構１５に相当する給気排気機構を備え、各グループにおける数値「１」乃至「４」のエアセル２は図１の流路１８乃至流路２１に相当する流路で図１の流路切換機構１７に相当する流路切換機構に別々に接続され、各グループにおける数値「５」乃至「８」のエアセル２は４個の流路で図１の流路切換機構１７に相当する流路切換機構に別々に接続される。この実施の形態３に係る流路切換機構は８個の流路を別々に接続する８個の出口を備える。
【００２８】
図１４を参照し、実施の形態３に係るエアマットレス１の動作について説明する。エアマットレス１の動作は、全部のエアセル２が圧縮空気の給気で膨張した状態において、ベッドによる背上げ又は背下げ後に、介護者が図１の操作部２２の動作スイッチを操作することにより、エアセル２が図１４に示す第１乃至第４工程からなる圧抜きモードに従って動作する。つまり、制御ボックス２３に設定された動作モードが人の操作で開始されるので、介護者による介護が行き届きやすい。第１乃至第４工程は、図１の制御ボックス２３に設定された部分収縮モードと部分膨張モードと第１部分収縮膨張モードと第２部分収縮膨張モードとにより実行される。第１部分収縮膨張モードと第２部分収縮膨張モードとは、各グループにおける１つ置きに並んだエアセル２が圧縮空気の排気で収縮した後に圧縮空気の給気で膨張する部分収縮膨張モードである。
【００２９】
図１４において、第１工程は、全部のエアセル２が膨張した状態から、数値「１」乃至「８」のエアセル２が１つずつ数値「１」から「８」の順番に圧縮空気の排気で収縮する部分収縮モードであり、時間は２．５分に設定されている。第２工程は、全部のエアセル２が収縮した状態から、数値「１」乃至「８」のエアセル２が１つずつ数値「１」から「８」の順番に圧縮空気の給気で膨張する部分膨張モードであり、時間は３分に設定されている。第３工程は、全部のエアセル２が膨張した状態から、数値「１」「３」「５」「７」のエアセル２が同時に圧縮空気の排気で収縮した後、数値「１」「３」「５」「７」のエアセル２が１つずつ数値「１」から「７」の順番に圧縮空気の給気で膨張する第１部分収縮膨張モードであり、時間は２分に設定されている。第４工程は、全部のエアセル２が膨張した状態から、数値「２」「４」「６」「８」のエアセル２が同時に圧縮空気の排気で収縮した後、数値「２」「４」「６」「８」のエアセル２が１つずつ数値「２」から「８」の順番に圧縮空気の給気で膨張する第２部分収縮膨張モードであり、時間は２分に設定されている。尚、第１乃至第４工程以外に、新たなる部分収縮モード、部分膨張モード、部分収縮膨張モードの追加又は全体膨張モードによる工程、全体収縮モードによる工程を入れてもよい。
【００３０】
図１６乃至図１８を参照し、実施の形態３に係るエアマットレス１の動作について考察する。図１６乃至図１８では、圧縮空気の給気で膨張したエアセル２は網がけに表示し、圧縮空気の排気で収縮したエアセル２はしぼんだ状態になるが白抜きで膨らんだ状態に表示した。第１工程では、図１６に示すように、数値「１」乃至「６」のエアセル２が１つずつ圧縮空気の排気で収縮したとき、数値「７」「８」のエアセルが膨張して残っていることから、背上げされた患者３５の頭３７と肩３９とが首を中心として徐々に仰け反るような姿勢になり、患者３５の首周りの血行が良くなる一方、背上げされた患者３５の尻３８及び脹脛が４個のエアセル２で一様に支えられる。第２工程では、図１７に示すように、数値「１」「２」のエアセル２が圧縮空気の給気で膨張することにより、背上げされた患者３５の頭３７と肩３９とが首を中心として徐々に仰け反るような姿勢になり、患者３５の首周りの血行が良くなる一方、背上げされた患者３５の腰及び膝が４個のエアセル２で一様に支えられる。
【００３１】
そして、第３工程では、図１８に示すように数値「１」「３」「５」「７」のエアセル２が同時に圧縮空気の排気で収縮することにより、背上げされた患者３５の体全体を数値「２」「４」「６」「８」の膨張したエアセル２で支えつつ少し沈み込ませる。その後、数値「１」「３」「５」「７」のエアセル２が１つずつ数値「１」から「７」の順序で圧縮空気の給気で膨張することにより、膨張した全部のエアセル２が背上げされた患者３５の体全体を曲げないよう持ち上げる。又、第４工程では、数値「２」「４」「６」「８」のエアセル２が同時に圧縮空気の排気で収縮した後、数値「２」「４」「６」「８」のエアセル２が１つずつ数値「２」から「８」の順序で圧縮空気の給気で膨張する。このように第３工程及び第４工程では、背上げされた患者３５の体全体を少し沈み込ませた後、背上げされた患者３５の体全体を曲げないよう持ち上げることにより、背上げされた患者３５の体全体が上下して血行が良くなる。これより、ベッドの背上げ背下げ機構による背上げ又は背下げに並行するか又は背上げ又は背下げ後に、患者６５をエアマットレス１から浮かせてずれをなくし、患者３５の痛みや床ずれを防止できると同時に介護者の負担もなくなる。
【００３２】
実施の形態１乃至実施の形態３において、エアセル２が収縮する場合、当該隣接する膨張したエアセル２の圧力を排気で調整して、上記収縮するエアセル２と隣接する膨張したエアセル２との段差を減少するようにしてもよい。又、平均的な体形よりも小柄又は大柄な患者に対しては、エアセル２に対する流路の接続を変更することで体に対するエアセル２の位置を変更してもよい。
【００３３】
尚、図示は省略したが、１つのグループを５個のエアセル２で構成し、各グループにおける１つ置きに並んだエアセル５が圧縮空気の排気で収縮した後に圧縮空気の給気で膨張するように、制御ボックス２７が流路切換機構８４を制御する場合において、第１部分収縮膨張モードでは数値「１」「３」「５」のエアセル５が同時に圧縮空気の排気で収縮した後に数値「１」「３」「５」のエアセル５が１つずつ数値「１」から「５」の順序で圧縮空気の給気で膨張するようにし、第２部分収縮膨張モードでは数値「２」「４」のエアセル５が同時に圧縮空気の排気で収縮した後に数値「２」「４」のエアセル５が１つずつ数値「１」から「５」の順序で圧縮空気の給気で膨張するようにすることも考えられる。又、図４と図９と図１４とにおける第３工程及び第４工程では収縮及び膨張するエアセルを１つ置きとしたが、２つ置き又は３つ置きというように、複数個置きとしてもよい。
【００３４】
前記各実施の形態は、介護者が図1の操作部２２を操作することにより、制御ボックス２３が制御ボックス２３に設定された動作モードに基づきエアセル２に対する膨張と収縮とを制御する形態である。これに対し、介護者が図1の操作部２２を操作することなく、図２のベッド２５での背上げ背下げモードやリハビリモードに連動し、制御ボックス２３が制御ボックス２３に設定された動作モードに基づきエアセル２に対する膨張と収縮とを制御する形態も考えられる。背上げ背下げモードは、背可動フレーム３０を背上げ下げ機構により図２又は図３のように背上げ又は背下げするモードである。リハビリモードは、端座位をする場合やリハビリなどで一次的にエアマットレスに圧縮空気を給気してエアマットレスを硬くするモードである。
【００３５】
背上げ又は背下げモードに連動する場合は、介護者が図1の操作部２２の背上げ又は背下げモードを開始するスイッチを操作し、このスイッチから背上げ又は背下げモード開始に相当する信号が制御ボックス２３に入力されるのに伴い、制御ボックス２３が制御ボックス２３に設定された動作モードに基づきエアセル２に対する膨張と収縮とを制御する。又、リハビリモードに連動する場合は、介護者が図1の操作部２２のリハビリモードを解除するスイッチを操作し、このスイッチからリハビリモード解除に相当する信号が制御ボックス２３に入力されるのに伴い、制御ボックス２３に設定された動作モードに基づきエアセル２に対する膨張と収縮とを制御する。
【００３６】
例えば、制御ボックス２３に設定された動作モードとして図４又は図９又は図１４の第１乃至第４工程からなる圧抜きモードが制御ボックス２３に設定されている場合は、制御ボックス２３が背上げ背下げモード開始に相当する信号の入力又はリハビリモード解除に相当する信号の入力に基づき上記圧抜きモードを背上げ又は背下げモードの開始又はリハビリモードの解除に連動して行なう。
【００３７】
尚、圧抜きモードの開始に対する時間を制御ボックス２３に設定してもよい。圧抜きモードの開始に対する時間の制御ボックス２３への設定としては、例えば、圧抜きモードを背上げ又は背下げモードに並行して行なうか又は背上げ又は背下げモードの終了後に行なうか又はリハビリモード解除に並行して行なうかリハビリモード解除後に行なうかが考えられる。このように圧抜きモードを背上げ又は背下げモードの開始又はリハビリモードの解除に連動すれば、介護者による図１の操作部２２への操作が減り、介護者の負担が前記各実施の形態よりも軽くなる。
【符号の説明】
【００３８】
１はエアマットレス、２はエアセル、３は欠番、４乃至１１はグループ、１２乃至１４は欠番、１５は給気排気機構、１６はエアーポンプ、１７は流路切換機構、１８乃至２１は第１乃至流路、２２は操作部、２３は制御ボックス、２４は欠番、２５はベッド、２６は脚、２７はフレーム、２８はエアマットレス、２９はエアセル、３０は背可動フレーム、３１は軸、３２乃至３４は欠番、３５は患者、３６は足、３７は頭、３８は尻、３９は肩、４０は欠番、４１乃至４９はグループ、５０は欠番、５１はエアマットレス、５２Ａ乃至５２Ｄはエアセル。
【図１】
2014046043.tif 000003
【図２】
2014046043.tif 000004
【図３】
2014046043.tif 000005
【図４】
2014046043.tif 000006
【図５】
2014046043.tif 000007
【図６】
2014046043.tif 000008
【図７】
2014046043.tif 000009
【図８】
2014046043.tif 000010
【図９】
2014046043.tif 000011
【図１０】
2014046043.tif 000012
【図１１】
2014046043.tif 000013
【図１２】
2014046043.tif 000014
【図１３】
2014046043.tif 000015
【図１４】
2014046043.tif 000016
【図１５】
2014046043.tif 000017
【図１６】
2014046043.tif 000018
【図１７】
2014046043.tif 000019
【図１８】
2014046043.tif 000020
【図１９】
2014046043.tif 000021